(57)【要約】【課題】収納箱に変形可能でありながら、折り畳み状態における取扱いを容易にする。【解決手段】両方の蓋内フラップ７，８が第３部分１７及び第４部分１６に分割された状態で、第３部分１７及び第３部分１７側の蓋外フラップ１０を箱内側に折り込み、一方の蓋外フラップ９の第１部分１９を第４部分１６の外側に位置させ、第２部分２０を第４部分１６の内側に折り返すことにより、収納箱に変形可能であり、側面１，２の幅が、幅面３，４の幅よりも長く、両方の蓋外フラップ９，１０は、先端が基端と平行な直線状をなすとともに、長さが同じであり、蓋内フラップ７，８の長さは、蓋外フラップ９，１０の長さ以下であり、折り畳み状態で蓋内フラップ７，８同士が重なる部分３０では、いずれか一方の蓋内フラップ７の長さ７ｚが蓋外フラップ９，１０よりも短く、かつ他方の蓋内フラップ８の長さ８ｚが蓋外フラップ９，１０の長さと同じ段ボール箱である。【選択図】図２
2019001483.tif 000002
【特許請求の範囲】
【請求項１】
一対の側面、及び一対の幅面からなる四角筒状部と、
前記一対の側面の上縁からそれぞれ延び出た、一対の側面フラップと、
前記一対の幅面の上縁からそれぞれ延び出た、一対の幅面フラップとを有し、
平面視でいずれか一方の対角に位置する角で折り畳んだ折り畳み状態、及び前記側面フラップ同士及び幅面フラップ同士がそれぞれオーバーラップしない直方体状の輸送箱状態をとることが可能なものであり、
一方の前記幅面フラップは、前記幅面の上縁に近い方から順に第１部分及び第２部分を有するとともに、前記第１部分及び第２部分の境界の少なくとも一部に、当該幅面フラップの基端と平行な方向に沿う罫線を有しており、
両方の前記側面フラップは、前記第１部分に遠い方から順に第３部分及び第４部分を有するとともに、前記第３部分及び第４部分が分割されているか又は前記第３部分及び第４部分の境界に沿う易切断線により第３部分及び第４部分に分割可能であり、
前記第３部分及び第４部分が分割された状態で、前記第３部分及び前記第３部分側の前記幅面フラップを箱内側に折り込み、前記第１部分を前記第４部分の外側に位置させ、前記第２部分を前記第４部分の内側に折り返すことにより、収納箱に変形可能な段ボール箱であって、
前記側面の幅が、前記幅面の幅よりも長く、
両方の前記幅面フラップは、先端が基端と平行な直線状をなすとともに、長さが同じであり、
側面フラップの長さは、幅面フラップの長さ以下であり、
前記折り畳み状態で側面フラップ同士が重なる部分では、いずれか一方の側面フラップの少なくとも一部が、幅面フラップよりも短く、かつ他方の側面フラップの長さが、幅面フラップの長さと同じである、
ことを特徴とする段ボール箱。
【請求項２】
両方の前記側面フラップの前記第３部分は、前記側面フラップの基端と平行な方向の寸法が同じであり、
両方の前記側面フラップの前記第４部分は、前記側面フラップの基端と平行な方向の寸法が同じであり、
両方の前記側面フラップの第３部分は、先端が基端と平行な直線状をなし、
両方の前記側面フラップの第３部分の長さは同じで、かつ両方の第３部分の長さの和が、側面の幅以下であり、
前記折り畳み状態で前記側面フラップ同士が重なる部分では、前記一方の側面フラップにおける前記幅面フラップよりも短い部分は前記第３部分のみからなり、かつ他方の側面フラップにおける前記幅面フラップの長さと同じ部分は前記第４部分のみからなり、
前記一方の側面フラップの第４部分の長さは、前記他方の側面フラップの第４部分の長さよりも短く、両方の第４部分の長さの和が前記幅面の幅以下である、
請求項１記載の段ボール箱。
【請求項３】
前記側面フラップが内フラップであり、前記幅面フラップが外フラップである、請求項２記載の段ボール箱。
【請求項４】
（イ）前記一方の側面フラップは、前記第３部分における第４部分側の側縁のうち、前記輸送箱状態で前記他方の側面フラップの第４部分と対向する部分が、先端側に向かうにつれて前記第４部分側から離間する形状となっているか、
（ロ）前記他方の側面フラップは、前記第４部分における第３部分側の側縁のうち、前記輸送箱状態で前記一方の側面フラップの第３部分と対向する部分が、先端側に向かうにつれて前記第３部分側から離間する形状となっているか、又は、
（ハ）前記（イ）及び（ロ）の両方であり、
前記輸送箱状態で対向する前記一対の側面フラップの対向縁は、全体にわたり離間している、
請求項３記載の段ボール箱。
【請求項５】
前記第１部分は、前記幅面フラップの基端と平行な方向の中間部に、その両側よりも前記幅面フラップの先端側に延び出た延出部分を有しており、
前記第１部分及び第２部分の境界のうち、前記延出部分に位置する部分は前記境界に沿って切断されているか又はその切断のための易切断線が設けられており、
前記第１部分及び第２部分の境界のうち、前記延出部分以外の部分に、前記罫線が設けられている、
請求項１〜４のいずれか１項に記載の段ボール箱。
【発明の詳細な説明】
【技術分野】
【０００１】
本発明は、収納箱として再利用可能な段ボール箱に関する。
【背景技術】
【０００２】
段ボール箱は、各種の製品を製造所から販売店又はユーザーへと輸送するための輸送箱として利用される等、様々な用途で利用されている。
【０００３】
このような製品輸送用の段ボール箱は、１度限りの使用で廃棄又はリサイクルされるほか、製品輸送に使用した後に、別の品物を収容する収納箱として利用されることも提案されている（例えば特許文献１〜３参照）。
【０００４】
特に、特許文献３記載の段ボール箱は、図１２（ａ）に示すように、一対の側面１，２（長さ面）、及び一対の幅面３，４（つま面）からなる四角筒状部と、一対の側面１，２の上縁からそれぞれ延び出た、一対の側面フラップ７，８と、一対の幅面３，４の上縁からそれぞれ延び出た、一対の幅面フラップ９，１０とを有し、図１２（ｂ）に示すように平面視でいずれか一方の対角（通常、継ぎ代を有しない対角）に位置する角で折り畳んだ折り畳み状態（一般に組立て前といわれる状態）、及び図示しないが側面フラップ７，８同士及び幅面フラップ９，１０同士がそれぞれオーバーラップしない直方体状の輸送箱状態をとることが可能なセットアップケースを基本とするものであり、蓋側の一部が開口する収納箱に変形可能なものである。この収納箱は、蓋側が正面となり、かつ一方の幅面３が底面となるように起こして設置することにより、前面下部に前壁を有するとともに、前壁よりも上側が収納物の出し入れ口として開口するものであり、おもちゃ箱のように出し入れの容易性を重視する用途に向いている。
【０００５】
しかしながら、特許文献３記載の段ボール箱の場合、輸送箱状態で側面フラップ７，８同士及び幅面フラップ９，１０同士がそれぞれオーバーラップしないようにするためには、図１２に示すように側面フラップ７，８の長さが一方の幅面フラップ９の長さより短いことが必要となる。この結果、特許文献３記載のものは、折り畳み状態では、蓋側の各フラップ７〜１０の先端が合わさって形成される縁に大きな段差を有する形状となり、搬送、搬入等の組立て前の取扱いが困難となるとともに、セットアップケーサーでの取扱いも困難となる、という問題点があった。特に、特許文献３記載の段ボール箱は、一方の幅面フラップが側面フラップよりも長く突出する結果、この突出部分が取扱い時に損傷するおそれがある。
【先行技術文献】
【特許文献】
【０００６】
【特許文献１】特開２００６−３６２８０号公報
【特許文献２】特開２０１５−０７４４６９号公報
【特許文献３】実登３２０７３１０号公報
【発明の概要】
【発明が解決しようとする課題】
【０００７】
そこで、本発明の主たる課題は、収納箱として再利用可能でありながら、折り畳み状態における取扱いを容易にすることにある。
【課題を解決するための手段】
【０００８】
上記課題を解決するための各種態様は以下のとおりである。
＜第１の態様＞
一対の側面、及び一対の幅面からなる四角筒状部と、
前記一対の側面の上縁からそれぞれ延び出た、一対の側面フラップと、
前記一対の幅面の上縁からそれぞれ延び出た、一対の幅面フラップとを有し、
平面視でいずれか一方の対角に位置する角で折り畳んだ折り畳み状態、及び前記側面フラップ同士及び幅面フラップ同士がそれぞれオーバーラップしない直方体状の輸送箱状態をとることが可能なものであり、
一方の前記幅面フラップは、前記幅面の上縁に近い方から順に第１部分及び第２部分を有するとともに、前記第１部分及び第２部分の境界の少なくとも一部に、当該幅面フラップの基端と平行な方向に沿う罫線を有しており、
両方の前記側面フラップは、前記第１部分に遠い方から順に第３部分及び第４部分を有するとともに、前記第３部分及び第４部分が分割されているか又は前記第３部分及び第４部分の境界に沿う易切断線により第３部分及び第４部分に分割可能であり、
前記第３部分及び第４部分が分割された状態で、前記第３部分及び前記第３部分側の前記幅面フラップを箱内側に折り込み、前記第１部分を前記第４部分の外側に位置させ、前記第２部分を前記第４部分の内側に折り返すことにより、収納箱に変形可能な段ボール箱であって、
前記側面の幅が、前記幅面の幅よりも長く、
両方の前記幅面フラップは、先端が基端と平行な直線状をなすとともに、長さが同じであり、
側面フラップの長さは、幅面フラップの長さ以下であり、
前記折り畳み状態で側面フラップ同士が重なる部分では、いずれか一方の側面フラップの少なくとも一部が、幅面フラップよりも短く、かつ他方の側面フラップの長さが、幅面フラップの長さと同じである、
ことを特徴とする段ボール箱。
【０００９】
（作用効果）
本態様の段ボール箱は、平面視でいずれか一方の対角に位置する角で折り畳んだ折り畳み状態では、側面フラップ及び幅面フラップの各先端が合わさって形成される縁に、スロットや角部のカットによる段差（凹凸）が一部残ることはあるが、それ以外の大きな段差（例えば特許文献３記載のもののような側面フラップと幅面フラップの長さの違いによる段差）は無くなる。よって、本態様の段ボール箱は、搬送、搬入等の組立て前の取扱いが容易になるとともに、セットアップケーサーでの取扱いも容易となる。
【００１０】
なお、長さ、幅等の寸法は、特に示していない限り展開寸法を意味する（以下同じ）。また、「フラップ」又はその「部分」の「長さ」は、フラップの基端と直交する方向の長さのうち最も長い部分の長さを意味し、「フラップ」又はその「部分」の「基端と平行な方向の寸法」は、フラップの基端と平行な方向の長さのうち最も長い部分の長さを意味する。また、用語「段ボール箱」は、箱の状態に限定されず、直方体状に組み立てた輸送箱の状態、及び収納箱の状態だけでなく、平面視でいずれか一方の対角（通常、継ぎ代を有しない対角）に位置する角で折り畳んだ折り畳み状態を含む。さらに、「フラップ」又はその「部分」の「先端」は両端の角部を含まないものであり、したがって「先端」が「基端と平行な直線状をなす」とは、先端における両端の角部まで直線である形態はもちろん、両端の角部が丸く切除されている形態も含むものである。
【００１１】
＜第２の態様＞
両方の前記側面フラップの前記第３部分は、前記側面フラップの基端と平行な方向の寸法が同じであり、
両方の前記側面フラップの前記第４部分は、前記側面フラップの基端と平行な方向の寸法が同じであり、
両方の前記側面フラップの第３部分は、先端が基端と平行な直線状をなし、
両方の前記側面フラップの第３部分の長さは同じで、かつ両方の第３部分の長さの和が、側面の幅以下であり、
前記折り畳み状態で前記側面フラップ同士が重なる部分では、前記一方の側面フラップにおける前記幅面フラップよりも短い部分は前記第３部分のみからなり、かつ他方の側面フラップにおける前記幅面フラップの長さと同じ部分は前記第４部分のみからなり、
前記一方の側面フラップの第４部分の長さは、前記他方の側面フラップの第４部分の長さよりも短く、両方の第４部分の長さの和が前記幅面の幅以下である、
第１の態様の段ボール箱。
【００１２】
（作用効果）
第３部分は、収納箱の状態で内面に露出するため、両方の側面フラップの第３部分はほぼ対称的な形状であることが好ましい。一方、第４部分は収納箱の状態で第１部分により隠れるため、両方の側面フラップの第４部分のいずれか一方が長くても収納箱の見栄えには影響しない。
よって、本態様のように、折り畳み状態で側面フラップ同士が重なる部分では、一方の側面フラップにおける幅面フラップよりも短い部分は第３部分のみからなり、かつ他方の側面フラップにおける幅面フラップの長さと同じ部分は第４部分のみからなる形態とすることが望ましい。
【００１３】
＜第３の態様＞
前記側面フラップが内フラップであり、前記幅面フラップが外フラップである、第２の態様の段ボール箱。
【００１４】
（作用効果）
側面フラップが外フラップであり、幅面フラップが内フラップであってもよいが、その場合に、側面フラップの先端に段差が形成されると、輸送箱の状態で外フラップを突合せにできないため、側面フラップが内フラップであり、幅面フラップが外フラップであると好ましい。また、側面フラップが内フラップであり、幅面フラップが外フラップであると、収納箱への変形時に、他方の幅面フラップ、及び第４部分を箱内側に折り込みやすくなるとともに、第１部分を第３部分の外側に位置させ、第２部分を第２部分の内側に折り返しやすくなる点も好ましい。
【００１５】
＜第４の態様＞
（イ）前記一方の側面フラップは、前記第３部分における第４部分側の側縁のうち、前記輸送箱状態で前記他方の側面フラップの第４部分と対向する部分が、先端側に向かうにつれて前記第４部分側から離間する形状となっているか、
（ロ）前記他方の側面フラップは、前記第４部分における第３部分側の側縁のうち、前記輸送箱状態で前記一方の側面フラップの第３部分と対向する部分が、先端側に向かうにつれて前記第３部分側から離間する形状となっているか、又は、
（ハ）前記（イ）及び（ロ）の両方であり、
前記輸送箱状態で対向する前記一対の側面フラップの対向縁は、全体にわたり離間している、
第３の態様の段ボール箱。
【００１６】
（作用効果）
一般に封かんを容易にするためには、一対の内フラップの対向縁は全体にわたり離間していることが好ましいが、第３の態様のように、輸送箱状態で一対の側面フラップの対向縁が入り組む形状となっている場合、一方の側面フラップの第３部分の側縁及び他方の側面フラップの第４部分の側縁がそれぞれ幅面に沿う直線状となっていると、互いに接触することとなる。よって、本第４の態様のように構成することが好ましい。
【００１７】
＜第５の態様＞
前記第１部分は、前記幅面フラップの基端と平行な方向の中間部に、その両側よりも前記幅面フラップの先端側に延び出た延出部分を有しており、
前記第１部分及び第２部分の境界のうち、前記延出部分に位置する部分は前記境界に沿って切断されているか又はその切断のための易切断線が設けられており、
前記第１部分及び第２部分の境界のうち、前記延出部分以外の部分に、前記罫線が設けられている、
第１〜４のいずれか１つの態様の段ボール箱。
【００１８】
（作用効果）
本態様では、収納箱に変形する際、第１部分及び第２部分の境界に切断された部分又は易切断線が設けられているため、前記第２部分を第４部分の内側に折り返すときの抵抗が小さく、より小さな力での折り返しが可能となる。また、収納箱の状態で、第１部分により形成される前面下部の前壁の意匠性も、延出部分の存在によって向上する。
【発明の効果】
【００１９】
以上のとおり、本発明によれば、収納箱として再利用可能でありながら、折り畳み状態における取扱いが容易になる、等の利点がもたらされる。
【図面の簡単な説明】
【００２０】
【図１】展開状態の段ボール箱を示す平面図である。
【図２】折り畳み状態の段ボール箱を示す平面図である。
【図３】蓋外フラップを省略した輸送箱状態の段ボール箱を示す平面図である。
【図４】底外フラップを省略した輸送箱状態の段ボール箱を示す底面図である。
【図５】輸送箱状態の蓋側を示す斜視図である。
【図６】輸送箱状態の底側を示す斜視図である。
【図７】収納箱への変形工程を示す斜視図である。
【図８】収納箱への変形工程を示す斜視図である。
【図９】収納箱への変形工程を示す斜視図である。
【図１０】収納箱への変形工程を示す斜視図である。
【図１１】収納箱を示す斜視図である。
【図１２】（ａ）展開状態の段ボール箱を示す平面図、及び（ｂ）折り畳み状態の段ボール箱を示す平面図である。
【発明を実施するための形態】
【００２１】
以下、本発明の一実施形態について添付図面を参照しながら詳説する。なお、以下の説明において、「左」及び「右」並びに「上」及び「下」とは、各構成要素の位置関係を示すために便宜的に使用するものであり、段ボール箱の一般的な配置における水平方向及び上下方向に対応するが、使用時の向きを限定するものではない。
【００２２】
図１〜図６に示される段ボール箱は、１枚のダンボールシートから形成されるものである。この段ボール箱は、組立て状態（輸送箱状態）でそれぞれ対向する、一対のほぼ等しい方形状の側面１，２、及び一対のほぼ等しい方形状の幅面３，４を有し、対角の一か所で継ぎ代６を介して連結された四角筒状部と、一対の側面１，２の上縁からそれぞれ延び出た、一対の蓋内フラップ７，８（側面フラップ）と、一対の幅面３，４の上縁からそれぞれ延び出た、一対の蓋外フラップ９，１０（幅面フラップ）と、一対の側面１，２の下縁からそれぞれ延び出た、一対の底内フラップ１１，１２と、一対の幅面３，４の下縁からそれぞれ延び出た、一対の底外フラップ１３，１４とを有するものである。
【００２３】
また、この段ボール箱は製箱機で製造されるセットアップケースであり、使用前の製品は一般に平面視でいずれか一方の対角（通常、継ぎ代６を有しない対角であるが、継ぎ代６を有する対角でもよい）に位置する角で折り畳んだ折り畳み状態（一般に組立前の状態といわれる）で搬送及び収納される。この折り畳み状態の段ボール箱はセットアップケーサーにより、筒状に引き起こして側方又は上方から内容品を挿入した後、図３〜図６に示すように、一対の底内フラップ１１，１２及び一対の底外フラップ１３，１４、並びに一対の蓋内フラップ７，８及び一対の蓋外フラップ９，１０をそれぞれ折り曲げて、蓋内フラップ７，８及び底内フラップ１１，１２はそれぞれ対向させるとともに、蓋外フラップ９，１０及び底外フラップ１３，１４はそれぞれ突合せた後、接着剤又はテープで封かんし、直方体状の輸送箱状態となる。
【００２４】
段ボール箱に用いる段ボールシートとしては、両面段ボールのほか、片面段ボール、複両面段ボール、又は複々両面段ボールを使用してもよい。また、段ボール箱における段ボールシートの段方向（中芯の段頂の延在方向）は特に限定されないが、輸送箱の上下方向の圧縮強度、つまり輸送箱の段積み耐性を向上できる点で上下方向が好ましい。
【００２５】
また、継ぎ代６の連結手段としては接着剤、ステープラー等の公知の手法を採用することができる。
【００２６】
側面１，２及び幅面３，４の境界、並びに各フラップ７〜１４の基端（側面１，２の上縁又は幅面３，４の上縁との境界）には、折り曲げを容易にするための罫線１８ａを設けることが望ましい。
【００２７】
また、各フラップ７〜１４の先端における両端等の角部は、直角等の屈曲形状であってもよいが、角の潰れや曲がり、角からのライナーのめくれを防止するために、図示例のように丸く切断（いわゆる面取り）されていることが好ましい。各フラップ７〜１４の角部を丸く切断する場合、その曲率半径の下限は５ｍｍが好ましく、１０ｍｍがより好ましく、上限は４０ｍｍが好ましく、２０ｍｍがより好ましい。
【００２８】
他方、この段ボール箱は、輸送箱状態で商品輸送に使用し、輸送箱の蓋側を開封して内部の商品を取り出した後に、図７〜図１１に示すように収納箱に変形することができる。
【００２９】
より詳細に説明すると、図１〜図３、及び図５に示すように、一方の蓋外フラップ９は、これに続く一方の幅面３の上縁に近い方から順に第１部分１９及び第２部分２０を有するとともに、第１部分１９及び第２部分２０の境界の少なくとも一部に、当該一方の蓋外フラップ９の基端と平行な方向に沿う罫線１８ｃ，１８ｄを有している。また、両方の蓋内フラップ７，８は、第１部分１９に遠い方から順に第３部分１７及び第４部分１６を有するとともに、第３部分１７及び第４部分１６の境界に沿うミシン目からなる易切断線１５を有している。
【００３０】
収納箱に変形する際は、底内フラップ１１，１２及び底外フラップ１３，１４により底部を形成した状態を保持したまま、又は底側を誤って開封した場合には再度封かんした状態とする。そして、両方の蓋内フラップ７，８の易切断線１５を切離し、図７に示すように、それぞれ第３部分１７及び第４部分１６に分離した後、図８及び図９に示すように、第４部分１６は箱内側に折り込まずに対向姿勢とし、第３部分１７及び第３部分１７側の蓋外フラップ１０を箱内側に折り込むとともに、図９及び図１０に示すように、第１部分１９を第４部分１６の外側に位置させ、第２部分２０を第４部分１６の内側に折り返すことにより、第１部分１９と第２部分２０との間に第４部分１６を挟み込む。図１０に示すように、第４部分１６は必要に応じて粘着テープ２２等の固定手段で底内フラップ１１，１２等に固定してもよい。以上により、図１１に示すように、第４部分１６側の幅面３を底面とし、第３部分１７側の幅面４を天面とし、輸送箱状態における底面を背面とし、前面の上部が開口した収納箱に変形することができる。
【００３１】
前述したように、蓋内フラップ７，８及び蓋外フラップ９，１０の基端には罫線１８ａを設けることが好ましいが、これに加えて、蓋内フラップ７，８の第３部分１７及び第３部分１７側の蓋外フラップ１０には、基端から先端側に間隔を空けた位置に罫線１８ｂを追加することにより、二重罫線１８ａ，１８ｂ（１つの折り曲げを促進するために狭い間隔で並んで形成される２本の罫線）を設けると、折り返し容易性及び折り返し維持性が向上するだけでなく、収納箱の開口の上縁及び側縁に厚みのある額縁が形成され、収納箱の見栄え及び強度が向上するためより好ましい。二重罫線１８ａ，１８ｂの平均間隔１８ｙの下限は、段ボールシートの平均厚さ（ＪＣＳ  Ｔ  ０００４：２０００「段ボール  −  厚さ測定方法」。以下同じ。）の１倍が好ましく、１．５倍がより好ましい。また、二重罫線１８ａ，１８ｂの平均間隔１８ｙの上限は、段ボールシートの平均厚さの２．５倍が好ましく、２倍がより好ましい。
【００３２】
蓋内フラップ７，８の基端と平行な方向における易切断線１５の位置、換言すると第３部分１７及び第４部分１６の分割割合は適宜定めればよいが、収納箱への物品の出し入れ容易性等を考慮すると、第３部分１７の幅（蓋内フラップ７，８の基端と平行な方向の寸法）を１７ｗとし、第４部分１６の幅（蓋内フラップ７，８の基端と平行な方向の寸法）を１６ｗとしたとき、１７ｗ：１６ｗが５：１〜１：１程度であることが好ましい。
【００３３】
一方の蓋外フラップ９（第４部分１６側の蓋外フラップ９）における、第１部分１９及び第２部分２０の境界に位置する罫線１８ｃ，１８ｄは、図示例のように二重罫線１８ｃ，１８ｄとなっていると、第１部分１９に対する第２部分２０の折り曲げが容易となるとともに、第１部分１９と第２部分２０との間に第４部分１６を無理なく挟み込むことが可能となる。二重罫線１８ｃ，１８ｄの平均間隔１８ｖの下限は、段ボールシートの平均厚さの１倍が好ましく、１．５倍がより好ましい。一方、第１部分１９と第２部分２０との間に第４部分１６を隙間なく挟み込むためには、二重罫線１８ｃ，１８ｄの平均間隔１８ｖの上限は、段ボールシートの平均厚さの３倍が好ましく、２倍がより好ましい。
【００３４】
第１部分１９は、収納箱の前面下部に位置する前壁部の最外面に配置される。第１部分１９の幅１９ｗ（蓋外フラップ９，１０の基端と平行な方向の寸法）が、これに続く幅面３の幅３ｗとほぼ等しい方形状に形成することができる。この場合、第１部分１９の幅は、これに続く幅面３の幅３ｗよりも段ボールシートの平均厚さと同程度だけ小さいことが好ましい。第１部分１９の長さ１９ｚは、第４部分１６の幅１６ｗ（基端と平行な方向の寸法）以上であることが好ましく、特に僅かに大きいことが好ましい。
【００３５】
第２部分２０は、収納箱の前壁部の最内面に配置される。第２部分２０の幅２０ｗ（基端と平行な方向の寸法）は、第１部分１９の幅１９ｗ（基端と平行な方向の寸法）とほぼ等しいものとすることができる。第２部分２０の幅２０ｗが短すぎると、収納箱の前壁部の内側に不必要な凹部が形成され、内部の物品を取り出すときに引っかかりやすくなるおそれがある。
【００３６】
第２部分２０の長さ２０ｚは第１部分１９の長さ１９ｚより小さいことが好ましい。この場合、第２部分２０と第１部分１９との長さの差の上限は、段ボールシートの平均厚さの１．５倍が好ましく、２倍がより好ましい。一方、第２部分２０と第１部分１９との長さの差の下限は、段ボールシートの平均厚さの５倍が好ましく、３倍がより好ましい。第２部分２０と第１部分１９との長さの差が小さすぎると、第２部分２０の先端が底内フラップ１１，１２に干渉する。逆に、第２部分２０と第１部分１９との長さの差が大きすぎると、収納箱の前壁部の内側に不必要な凹部が形成され、内部の物品を取り出すときに引っかかりやすくなるおそれがある。
【００３７】
図示例のように、第１部分１９は、これに続く蓋外フラップ９の基端と平行な方向の中間部に、その両側よりも蓋外フラップ９の先端側に延び出た延出部分１９ｐを有しており、第１部分１９及び第２部分２０の境界のうち、延出部分１９ｐに位置する部分は境界に沿って切断するための易切断線２１（予め切断されていてもよい）が設けられており、第１部分１９及び第２部分２０の境界のうち、延出部分１９ｐ以外の部分に、罫線１８ｃ，１８ｄが設けられているのは一つの好ましい形態である。これにより、収納箱に変形する際、第１部分１９及び第２部分２０の境界の一部が易切断線２１に沿って切断されるため、第２部分２０を第４部分１６の内側に折り返すときの抵抗が小さく、より小さな力での折り返しが可能となる。また、収納箱の状態で、第１部分１９により形成される前面下部の前壁の意匠性も、延出部分１９ｐの存在によって向上する。延出部分１９ｐの幅は、第１部分１９の幅１９ｗの４０〜６０％が好ましい。
【００３８】
他方の蓋外フラップ１０（第３部分１７側の蓋外フラップ１０）は、内側に折り返されることにより、収納箱の天壁の内面に配置されるものである。この第３部分１７側の蓋外フラップ１０は、粘着テープ等の固定手段で対向する幅面４等に固定することもできるが、左右両側に位置する一対の第３部分１７の間に嵌合するようになっていると、第３部分１７が側面１，２の内面に沿う状態に保持されるとともに、第３部分１７との間の摩擦力によって、当該蓋外フラップ１０が、対向する幅面４の内面に沿う状態に保持されるため好ましい。もちろん、後者の場合にも、必要に応じて第３部分１７側の蓋外フラップ１０を粘着テープ等の固定手段で対向する幅面４等に固定することができる。
【００３９】
第３部分１７側の蓋外フラップ１０の形状としては、第３部分１７との間の摩擦力ができるだけ先端側で発生するように先端に向かって拡幅する逆台形状となっていることが好ましい。
【００４０】
第３部分１７側の蓋外フラップ１０の長さ１０ｚは、収納箱の状態で底内フラップ１１，１２に緩衝しないよう、幅面４の深さ４ｚ以下であることが好ましい。ただし、一対の蓋外フラップ９，１０は輸送箱状態で先端が突合せ状態になることが好ましいため、一対の蓋外フラップ９，１０の長さの合計が側面１，２の幅にほぼ等しいことが好ましい。
【００４１】
第３部分１７側の蓋外フラップ１０の幅１０ｗ（基端と平行な方向の寸法）は、適宜定めればよいが、その基端に続く幅面４の幅４ｗよりも小さいことが好ましい。特に、前述の摩擦力による保持性を好適に発揮させるためには、第３部分１７側の蓋外フラップ１０の幅１０ｗとその基端に続く幅面４の幅４ｗとの差の下限は段ボールシートの平均厚さの１倍が好ましく、２倍がより好ましく、上限は段ボールシートの平均厚さの４倍が好ましく、３．５倍がより好ましい。
【００４２】
特徴的には、図１〜図３に示すように、側面１，２の幅１ｗ，２ｗ（段ボール箱の長さ）が幅面３，４の幅３ｗ，４ｗ（段ボール箱の幅）よりも長く、両方の蓋外フラップ９，１０は、先端が基端と平行な直線状をなすとともに、長さが同じであり、蓋内フラップ７，８の長さ７ｚ、８ｚは、蓋外フラップ９，１０の長さ９ｚ，１０ｚ以下であり、図２に示す折り畳み状態で蓋内フラップ７，８同士が重なる部分３０では、いずれか一方の蓋内フラップ７（少なくとも一部でもよい）の長さ７ｚが、蓋外フラップ９，１０の長さ９ｚ，１０ｚよりも短く、かつ他方の蓋内フラップ８の長さ８ｚが、蓋外フラップ９，１０の長さ９ｚ，１０ｚと同じとなっている。
【００４３】
この結果、図２示す折り畳み状態の段ボール箱では、蓋内フラップ７，８及び蓋外フラップ９，１０の各先端が合わさって形成される縁に、スロットや角部のカットによる段差（凹凸）が一部残ることはあるが、それ以外の大きな段差（例えば特許文献３記載のもののような蓋内フラップ７，８と蓋外フラップ９，１０の長さの違いによる段差）は無くなる。よって、図示例の段ボール箱は、搬送、搬入等の組立て前の取扱いが容易になるとともに、セットアップケーサーでの取扱いも容易となる。
【００４４】
第３部分１７は、収納箱の状態で内面に露出するため、両方の蓋内フラップ７，８の第３部分１７はほぼ対称的な形状であることが好ましい。一方、第４部分１６は収納箱の状態で第１部分１９により隠れるため、両方の蓋内フラップ７，８の第４部分１６のいずれか一方が長くても収納箱の見栄えには影響しない。よって、図示例のように、両方の蓋内フラップ７，８の第３部分１７の幅１７ｗが同じであるとともに、両方の蓋内フラップ７，８の第４部分１６の幅１６ｗが同じであり、両方の蓋内フラップ７，８の第３部分１７は、先端が基端と平行な直線状をなし、両方の蓋内フラップ７，８の第３部分１７の長さ１７ｚは同じで、かつ両方の第３部分１７の長さ１７ｚの和が、側面１，２の幅１ｗ，２ｗ以下であり、折り畳み状態で蓋内フラップ７，８同士が重なる部分３０では、一方の蓋内フラップ７における蓋外フラップ９，１０よりも短い部分は第３部分１７のみからなり、かつ他方の蓋内フラップ８における蓋外フラップ９，１０の長さと同じ部分は第４部分１６のみからなり、一方の蓋内フラップ７の第４部分１６の長さ１６ｚは他方の蓋内フラップ８の第４部分１６の長さ１６ｚよりも短く、両方の第４部分１６の長さ１６ｚの和が幅面３，４の幅３ｗ，４ｗ以下であると好ましい。
【００４５】
特に、図示例では、蓋内フラップ７，８には第３部分１７及び第４部分１６の長さの差により段差が形成されるが、蓋外フラップ９，１０を突合せにすることで、輸送箱状態で蓋内フラップ７，８の段差や易切断線１５が露出することはない。また、図示例では、収納箱への変形時に、他方の蓋外フラップ１０、及び第４部分１６を箱内側に折り込みやすくなるとともに、第１部分１９を第３部分１７の外側に位置させ、第２部分２０を第２部分２０の内側に折り返しやすくなる点も好ましい。
【００４６】
一般に封かんを容易にするためには、一対の内フラップの対向縁は全体にわたり離間していることが好ましいが、図示例のように、輸送箱状態で一対の蓋内フラップ７，８の対向縁が入り組む形状となっている場合、一方の蓋内フラップ７の第３部分１７の側縁及び他方の蓋内フラップ８の第４部分１６の側縁がそれぞれ幅面３，４に沿う直線状となっていると、互いに接触することとなる。よって、図示例のように、以下の（イ）及び（ロ）の両方を採用することが好ましいが、（イ）及び（ロ）のいずれか一方のみとしてもよい。
（イ）一方の蓋内フラップ７は、第３部分１７における第４部分１６側の側縁のうち、輸送箱状態で他方の蓋内フラップ８の第４部分１６と対向する部分が、先端側に向かうにつれて第４部分１６側から離間する形状（図示例では、先端側に向かうにつれて第４部分１６側から離間する方向に傾斜した直線状の基端側部分と、丸く切断された角部とからなる形状）となっている。
（ロ）他方の蓋内フラップ８は、第４部分１６における第３部分１７側の側縁のうち、輸送箱状態で一方の蓋内フラップ７の第３部分１７と対向する部分が、先端側に向かうにつれて第３部分１７側から離間する形状（図示例では、他の角部よりも大きな曲率半径で丸く切断された角部のみからなる形状）となっている。
なお、上記（イ）に関する図示例の形状と、上記（ロ）に関する図示例の形状とは逆になっていてもよい。
【００４７】
また、上記（イ）及び（ロ）を採用すると、第３部分１７及び第４部分１６を切り離す前の状態で、蓋内フラップ７，８の先端側における易切断線１５の端部にＶ字状の切欠１５ｓを有することとなるため、易切断線１５の切離しの開始が容易になるという利点もある。
【００４８】
底外フラップ１３，１４は、蓋外フラップ９，１０と同様に構成することができる。一方、底内フラップ１１，１２を一般的な方形状とし、底内フラップ１１，１２の長さ１１ｚ，１２ｚの合計を幅面３，４の幅３ｗ，４ｗ以下とすると、輸送箱状態で対向する底内フラップ１１，１２同士がオーバーラップすることはないが、底外フラップ１３，１４よりも長さが短くなる結果、折り畳み状態では、底側の各フラップ１１〜１４の先端が合わさって形成される縁に大きな段差を有することとなる。ここで、底内フラップ１１，１２を一般的な方形状としたまま、底内フラップ１１，１２の長さ１１ｚ，１２ｚを底外フラップ１３，１４の長さ１３ｚ，１４ｚに合わせると、輸送箱状態で対向する底内フラップ１１，１２同士がオーバーラップしてしまう。
【００４９】
これに対して、図示例の底内フラップ１１，１２のように、幅方向の一方側から他方側にかけて、底外フラップ１３，１４の長さ１３ｚ，１４ｚと等しい長さの第５部分４５、幅面３，４の長さの半分以下の長さまで長さが短くなっていく第６部分４６、及び幅面３，４の長さの半分以下の長さの第７部分４７を有し、輸送箱状態で対向する底内フラップ１１，１２に対して点対称をなす形状であり、かつ折り畳み状態で、一方の底内フラップ１１，１２の第５部分４５及び第６部分４６が、他方の底内フラップ１１，１２の第５部分４５及び第６部分４６と重ならない配置となっていると好ましい。これにより、図４に示すように、輸送箱状態で対向する底内フラップ１１，１２同士がオーバーラップすることなく、かつ折り畳み状態では、図２に示すように、底側の各フラップ１１〜１４の先端が合わさって形成される縁に大きな段差を生じない。特に、図示形態はスロットが第７部分４７と重なるため、全く段差を生じない好ましい形態である。
【００５０】
＜その他＞
上記例は、本発明を限定するものではない。したがって、上記例は、本明細書の記載及び技術常識に基づいて各部の構成要素の省略、置換又は追加が可能である。
【００５１】
上記例の段ボール箱において、四角筒状部は、いずれの側面１，２と幅面３，４との間に継ぎ代６が設けられてもよい。つまり、展開状態の当該段ボール箱用シートにおいて、一対の蓋外フラップ９，１０及び一対の蓋内フラップ７，８の順番は、図示例の順番に限定されない。
【００５２】
また、段ボール箱の底側の構造は、上記例に限られず、例えばワンタッチタイプ、アメリカンロックタイプ等、公知の構造を採用することができる。
【００５３】
上記例の一対の蓋内フラップ７，８及び一対の蓋外フラップ９，１０は内外逆であってもよい。同様に、上記例の一対の底内フラップ１１，１２及び一対の底外フラップ１３，１４は内外逆であってもよい。
【００５４】
第３部分１７及び第４部分１６の境界に易切断線１５を設けるのではなく、第３部分１７及び第４部分１６の境界を予め切断しておいてもよい。
【００５５】
易切断線１５，２１は、段ボールシートの切断を容易にするものであればミシン目以外であってもよい。
【産業上の利用可能性】
【００５６】
本発明の段ボール箱は、工業生産される製品（例えば使い捨ておむつ等を多数詰めた包装袋等）を、販売店又は使用者に輸送するための輸送箱として特に好適に利用できるものであるが、輸送のみを目的とするものに限られず、例えば化粧箱としての機能を有していてもよい。
【符号の説明】
【００５７】
１，２…側面、３，４…幅面、３…一方の幅面、６…継ぎ代、７〜１４…フラップ、７，８…蓋内フラップ、９，１０…蓋外フラップ、９…一方の蓋外フラップ、１０…他方の蓋外フラップ、１１，１２…底内フラップ、１３，１４…底外フラップ、１５，２１…易切断線、１６…第４部分、１７…第３部分、１８…折り曲げ容易線、１８ａ…罫線、１９…第１部分、１９ｐ…延出部分、２０…第２部分、４５…第５部分、４６…第６部分、４７…第７部分。
【図１】
2019001483.tif 000003
【図２】
2019001483.tif 000004
【図３】
2019001483.tif 000005
【図４】
2019001483.tif 000006
【図５】
2019001483.tif 000007
【図６】
2019001483.tif 000008
【図７】
2019001483.tif 000009
【図８】
2019001483.tif 000010
【図９】
2019001483.tif 000011
【図１０】
2019001483.tif 000012
【図１１】
2019001483.tif 000013
【図１２】
2019001483.tif 000014